(57)【要約】【課題】ディスプレイ画面を大型化したり、別途用意したりすることなく、より多くの情報を提示できるようにすること。【解決手段】入力部１０１は、本画像および補助画像を入力する。第１出力部１０２は、入力部１０１によって入力された本画像を、表示画面から視野角の範囲内の第１方向に出力する。第２出力部１０３は、入力部１０１によって入力された補助画像を、表示画面から第１方向と異なる第２方向に出力する。反射部１０４は、第２出力部１０３によって第２方向に出力された補助画像を、反射させて出力する。【選択図】図１
2008022132.tif 000002
【特許請求の範囲】
【請求項１】
本画像および補助画像を入力する入力手段と、
前記入力手段によって入力された本画像を、表示画面から視野角の範囲内の第１方向に出力する第１出力手段と、
前記入力手段によって入力された補助画像を、前記表示画面から前記第１方向と異なる第２方向に出力する第２出力手段と、
前記第２出力手段によって前記第２方向に出力された前記補助画像を、反射させて出力する反射手段と、
を備えることを特徴とする画像表示装置。
【請求項２】
前記本画像は地上デジタル放送画像であり、前記補助画像はデータ放送の情報または操作対象となるボタンの情報であることを特徴とする請求項１に記載の画像表示装置。
【請求項３】
前記本画像は地上デジタル放送画像であり、前記補助画像は字幕表示の情報であることを特徴とする請求項１または２に記載の画像表示装置。
【請求項４】
前記反射手段は、前記補助画像を反射させることにより、前記第１方向または近傍の方向に出力することを特徴とする請求項１〜３のいずれか一つに記載の画像表示装置。
【請求項５】
前記第２出力手段は、前記補助画像を左右逆向きに反転させて出力することを特徴とする請求項１〜４のいずれか一つに記載の画像表示装置。
【請求項６】
本画像および補助画像を入力する入力工程と、
前記入力工程によって入力された本画像を、表示画面から視野角の範囲内の第１方向に出力する第１出力工程と、
前記入力工程によって入力された補助画像を、前記表示画面から前記第１方向と異なる第２方向に出力する第２出力工程と、
前記第２出力工程によって前記第２方向に出力された前記補助画像を、反射させて出力する反射工程と、
を含むことを特徴とする画像表示方法。
【請求項７】
請求項６に記載の画像表示方法をコンピュータに実行させることを特徴とする画像表示プログラム。
【請求項８】
請求項７に記載の画像表示プログラムを記録したことを特徴とするコンピュータに読み取り可能な記録媒体。
【発明の詳細な説明】
【技術分野】
【０００１】
この発明は、複数の方向に画像を出力することができる画像表示装置、画像表示方法、画像表示プログラムおよびコンピュータに読み取り可能な記録媒体に関する。ただし、この発明の利用は、上述の画像表示装置、画像表示方法、画像表示プログラムおよびコンピュータに読み取り可能な記録媒体に限らない。
【背景技術】
【０００２】
従来の画像表示装置では、ディスプレイ画面を介して画像や映像が表示されてきたが、ディスプレイ画面によるより多くの情報提供や、大画面による迫力ある映像の表示が求められてきた。そこで、ディスプレイ画面を大型化したり、複数のディスプレイを併用したりすることにより、様々な情報を提供するものがあった（たとえば、特許文献１参照。）。
【０００３】
【特許文献１】特開２００５−２２１６６４号公報
【発明の開示】
【発明が解決しようとする課題】
【０００４】
しかしながら、ひとつのディスプレイで表示できる情報量は、ディスプレイサイズと視認性から、ある程度限界がある。そこで大型化や２枚化を図ろうとしても、コスト等の関係で容易ではないという問題が一例として挙げられる。また、ディスプレイを大型化したり複数台用意したりした場合、コストがかかるという問題の他に、場所を余分にとることになるという問題も一例として挙げられる。情報をより多く表示するには、何らかの位置に情報を表示できればよいが、そのためには、ディスプレイ画面の表示領域を大きくまたは多くする以外の方法がなかったという問題が一例として挙げられる。
【課題を解決するための手段】
【０００５】
請求項１の発明にかかる画像表示装置は、本画像および補助画像を入力する入力手段と、前記入力手段によって入力された本画像を、表示画面から視野角の範囲内の第１方向に出力する第１出力手段と、前記入力手段によって入力された補助画像を、前記表示画面から前記第１方向と異なる第２方向に出力する第２出力手段と、前記第２出力手段によって前記第２方向に出力された前記補助画像を、反射させて出力する反射手段と、を備えることを特徴とする。
【０００６】
また、請求項６の発明にかかる画像表示方法は、本画像および補助画像を入力する入力工程と、前記入力工程によって入力された本画像を、表示画面から視野角の範囲内の第１方向に出力する第１出力工程と、前記入力工程によって入力された補助画像を、前記表示画面から前記第１方向と異なる第２方向に出力する第２出力工程と、前記第２出力工程によって前記第２方向に出力された前記補助画像を、反射させて出力する反射工程と、を含むことを特徴とする。
【０００７】
また、請求項７の発明にかかる画像表示プログラムは、請求項６に記載の画像表示方法をコンピュータに実行させることを特徴とする。
【０００８】
また、請求項８の発明にかかるコンピュータに読み取り可能な記録媒体は、請求項７に記載の画像表示プログラムを記録したことを特徴とする。
【発明を実施するための最良の形態】
【０００９】
以下に添付図面を参照して、この発明にかかる画像表示装置、画像表示方法、画像表示プログラムおよびコンピュータに読み取り可能な記録媒体の好適な実施の形態を詳細に説明する。
【００１０】
図１は、この発明の実施の形態にかかる画像表示装置の機能的構成を示すブロック図である。この実施の形態の画像表示装置は、入力部１０１、第１出力部１０２、第２出力部１０３、反射部１０４により構成されている。
【００１１】
入力部１０１は、本画像および補助画像を入力する。この入力部１０１は、画像を自ら生成して入力するものであっても、外部から画像を受け取って、受け取った画像を入力するものであってもよい。この入力部１０１は、後述するＥＣＵまたはＧＤＣとすることができる。ここで、本画像は地上デジタル放送画像とし、補助画像はデータ放送の情報または操作対象となるボタンの情報とすることができる。また、本画像は地上デジタル放送画像とし、補助画像は字幕表示の情報とすることができる。
【００１２】
第１出力部１０２は、入力部１０１によって入力された本画像を、表示画面から視野角の範囲内の第１方向に出力する。たとえば、本画像のデータを受け取って、この本画像を形成する光を第１方向に向けて出力する。この第１方向に本画像を出力することにより、表示画面から本画像を直接見ることができる。第２出力部１０３は、入力部１０１によって入力された補助画像を、表示画面から第１方向と異なる第２方向に出力する。たとえば、補助画像のデータを受け取って、この補助画像を形成する光を第２方向に向けて出力する。ここで、第２出力部１０３は、この補助画像を左右逆向きに反転させて出力してもよい。
【００１３】
反射部１０４は、第２出力部１０３によって第２方向に出力された補助画像を、反射させて出力する。この反射部１０４は、たとえば鏡面とすることができ、画像を映し出すことのできるその他の媒体とすることができる。補助画像を反射させて出力することにより、反射部１０４から補助画像を間接的に見ることができる。ここで、反射部１０４は、補助画像を反射させることにより、第１方向または近傍の方向に出力してもよい。
【００１４】
図２は、この発明の実施の形態にかかる画像表示方法の処理を示すフローチャートである。まず、入力部１０１は、本画像および補助画像を入力する（ステップＳ２０１）。第１出力部１０２は、入力部１０１によって入力された本画像を、表示画面から視野角の範囲内の第１方向に出力する（ステップＳ２０２）。
【００１５】
第２出力部１０３は、入力部１０１によって入力された補助画像を、表示画面から第１方向と異なる第２方向に出力する（ステップＳ２０３）。反射部１０４は、第２出力部１０３によって第２方向に出力された補助画像を、反射させて出力する（ステップＳ２０４）。
【００１６】
以上説明した実施の形態により、単一の表示画面から本画像と補助画像を出力することができる。そして、補助画像は本画像と異なる向きに出力して反射させることにより、単一の表示画面を使用して複数の画像をユーザーに提示することができる。たとえば、補助画像として本画像を見ることを補助する情報、たとえばデータ放送、操作対象となるボタン、字幕表示を表示することにより、ディスプレイ画面を見たり操作したりすることを、より容易にすることができる。また、補助画像を左右逆向きに反転させることにより、ディスプレイ画面にたとえば鏡面を設置して反射させた場合を想定した適切な画像を表示することができる。
【実施例】
【００１７】
図３は、この実施例にかかる画像表示装置の機能的構成を説明するブロック図である。この画像表示装置は、制御部３１０、表示ドライバ３２０、表示部３３０によって構成される。
【００１８】
制御部３１０は、表示画面に表示する画像を生成して出力する。この制御部３１０は、ＥＣＵ（Ｅｌｅｃｔｒｉｃａｌ  Ｃｏｎｔｒｏｌ  Ｕｎｉｔ）として提供することができ、ＥＣＵとは、車両に搭載される制御用の電子回路のことである。制御する対象によって、エンジンＥＣＵ、ドアＥＣＵなどと呼ばれ、ここでは画像を入力する制御ユニットである。また、制御部３１０は、ＧＤＣ（Ｇｒａｐｈｉｃ  Ｄｉｓｐｌａｙ  Ｃｏｎｔｒｏｌ）として提供することもできる。このＧＤＣは、ディスプレイを制御するユニットである。この制御部３１０が、画像３１１および画像３１２を生成して表示ドライバ３２０に出力する。
【００１９】
表示ドライバ３２０は、画像３１１および画像３１２の入力を受けて、表示部３２０に信号を出力し、画像を形成させる制御部である。具体的には、画像３１１の信号を表示部３３０のＬＥＤ３３１に出力し、画像３１２の信号をＬＥＤ３４１に出力する。画像３１２の信号をＬＥＤ３４１に出力するときには、画像３１２を左右逆向きに反転させて出力する。左右逆向きに出力することにより、画像３１２が反射されたときに、正しい向きに表示されることになる。
【００２０】
表示部３３０は、ＬＥＤ３３１、レンズ３３２、ＬＥＤ３４１、レンズ３４２、レンズ３５０によって構成される。画像３１１は、ＬＥＤ３３１に入力され、レンズ３３２およびレンズ３５０を経て、ディスプレイ画面から直接表示される画像として出力される。画像３１２は、ＬＥＤ３４１に入力され、レンズ３４２およびレンズ３５０を経て、反射体を介して間接的に表示される画像として出力される。
【００２１】
図４は、２つの画像の出力状態を説明する説明図である。表示部３３０からは画像３１１と画像３１２が出力されるが、それぞれ別方向に出力される。画像３１１は、まっすぐ出力され、ユーザーにディスプレイから直接届く。画像３１２は、画像３１１とは異なる方向に出力され、鏡面４００によって反射される。画像３１２は、鏡面４００によって反射された結果、画像３１１と同一方向に出力され、鏡面４００を介した形でユーザーに届く。画像３１２は、左右逆向きに反転されて鏡面４００に入力され、鏡面４００で反射するときに元の方向に戻して表示される。
【００２２】
このように、ユーザーからは、画像３１１をディスプレイから見ることができるとともに、画像３１２を鏡面４００から見ることができ、１つの表示装置から鏡面４００を使用することにより２つの画面を見ることができる。
【００２３】
図５は、２つの画像の表示処理を説明するフローチャートである。まず、表示ドライバ３２０は、画像３１１および画像３１２を読み出す（ステップＳ５０１）。画像３１１のみの場合は、画像３１１のみを読み出す。次に、表示ドライバ３２０は、読み出した画像に補助画像（画像３１２）が含まれているか否かを判定する（ステップＳ５０２）。
【００２４】
含まれていると判定された場合（ステップＳ５０２：Ｙｅｓ）、２つの画像を表示部３３０から出力させる（ステップＳ５０３）。具体的には、画像３１１をＬＥＤ３３１に、画像３１２は、左右逆向きに反転させてＬＥＤ３４１に出力する。それにより、画像３１１がユーザーに届くとともに、画像３１２は鏡面４００で反射されてユーザーに届く。そして、ステップＳ５０５に進む。
【００２５】
含まれていないと判定された場合（ステップＳ５０２：Ｎｏ）、１つの画像を表示部３３０から出力させる（ステップＳ５０４）。具体的には、画像３１１をＬＥＤ３３１に出力する。それにより、画像３１１がユーザーに届く。次に、画像の再生が終了したか否かを判定する（ステップＳ５０５）。終了していない場合（ステップＳ５０５：Ｎｏ）、ステップＳ５０１に戻り処理を繰り返す。終了した場合（ステップＳ５０５：Ｙｅｓ）、一連の処理を終了する。
【００２６】
図６は、この画像表示装置の第１の適用例を説明する説明図である。この画像表示装置は携帯電話に適用することができ、図６はその適用例を示しているが、この実施例の画像表示装置は携帯電話の表示画面に限定されるものではなく、たとえばカーナビゲーション装置や、家庭用のテレビ画面などに鏡面４００を備えさせることにより適用することができる。
【００２７】
この携帯電話は、表示画面６００と操作部６１０によって構成され、操作部６１０は、タッチパネル６２０を備える。表示画面６００は、図３に示した表示部３３０に相当し、ユーザーに直接、たとえば地上デジタル放送画像６３０などの画像信号を出力する。タッチパネル６２０は、図４に示した鏡面４００に相当し、表示画面６００から出力された、たとえばデータ放送６４０やＧＵＩ画面６５０などの画像信号を反射することにより表示する。それにより、ユーザーは、タッチパネル６２０をサブ画面として使用することができる。
【００２８】
図７は、この画像表示装置の第２の適用例を説明する説明図である。図７も図６と同様に画像表示装置を携帯電話に適用した場合の例を説明したものであり、この携帯電話は、表示画面６００と操作部６１０によって構成され、操作部６１０は、タッチパネル６２０を備える。表示画面６００は、ユーザーに直接、たとえば地上デジタル放送画像６３０などの画像信号を出力する。タッチパネル６２０は、表示画面６００から出力された、たとえば字幕放送７００などの画像信号を反射することにより表示する。それにより、ユーザーは、タッチパネル６２０をサブ画面として使用することができる。
【００２９】
ここで画像３１２は、使い方のちょっとしたヒントや、たとえば音声認識中の、使えるコマンドなどを、補足的に補助画像として鏡面４００に提示する。このとき鏡面４００に映すコンテンツは、反転させた状態で出力する。それにより、画像３１１による通常モニターの表示を残したままで、各機能に関しての操作補足情報を隣に表示することができる。このように、鏡面４００側に操作上の補足情報などを出す。そして、操作遷移状態を、一度遮断してしまうことなく、その状態ごとのヒントや役立つ情報を、鏡面４００に出すことができる。これにより、ひとりの人への情報提供量を増大させることができる。
【００３０】
以上説明した実施例によれば、ディスプレイ画面を１つ用意してそれぞれ別向きに本画像と補助画像の２つの画像を出力することができる。そして、本画像は視野角の範囲内に出力してそのまま見ることができる一方で、補助画像は本画像と異なる向きに出力して鏡面で反射させることにより、鏡面に映し出された画像として見ることができる。
【００３１】
たとえば、補助画像として本画像を見るのを補助する情報、たとえばデータ放送、操作対象となるボタン、字幕表示を表示することにより、ディスプレイ画面を見たり操作したりすることをより容易にすることができる。また、補助画像を左右逆向きに反転させることにより、ディスプレイ画面にたとえば鏡面を設置して反射させた場合を想定した適切な画像を表示することができる。
【００３２】
なお、本実施の形態で説明した画像表示方法は、予め用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００３３】
【図１】この発明の実施の形態にかかる画像表示装置の機能的構成を示すブロック図である。
【図２】この発明の実施の形態にかかる画像表示方法の処理を示すフローチャートである。
【図３】この実施例にかかる画像表示装置の機能的構成を示すブロック図である。
【図４】２つの画像の出力状態を説明する説明図である。
【図５】２つの画像の表示処理を説明するフローチャートである。
【図６】この画像表示装置の第１の適用例を説明する説明図である。
【図７】この画像表示装置の第２の適用例を説明する説明図である。
【符号の説明】
【００３４】
１０１  入力部
１０２  第１出力部
１０３  第２出力部
１０４  反射部
３１０  制御部
３２０  表示ドライバ
３３０  表示部
【図１】
2008022132.tif 000003
【図２】
2008022132.tif 000004
【図３】
2008022132.tif 000005
【図４】
2008022132.tif 000006
【図５】
2008022132.tif 000007
【図６】
2008022132.tif 000008
【図７】
2008022132.tif 000009